(57)【特許請求の範囲】
【請求項１】
指針と、前記指針に指示される指標部を有する表示部材と、前記指標部を囲む第一の装飾部材と、前記第一の装飾部材と同一形状または相似形状で、且つ、表示装置の左右方向の中心位置を基準に対称位置にある第二の装飾部材と、前記第二の装飾部材の内側に配設された画像表示部と、前記第二の装飾部材の内側で、且つ、前記画像表示部の外側に、前記第二の装飾部材の上下方向の中心位置を基準に対称位置に配設された警告表示部と、を備え、
前記画像表示部は、残燃料量計と冷却水温度計とを前記第二の装飾部材の左右方向の中心位置を基準に対称位置に表示することを特徴とする表示装置。
【請求項２】
前記第一の装飾部材は、円環状装飾部材であると共に、前記第二の装飾部材は、前記第一の装飾部材と同じ直径を有する円環状装飾部材であることを特徴とする請求項１に記載の表示装置。
【発明の詳細な説明】
【技術分野】
【０００１】
本発明は、指針式計器及び画像表示部が並設された表示装置に関するものである。
【背景技術】
【０００２】
従来より、指針式計器を備えた表示装置が種々提案されており、例えば特許文献１，特許文献２に開示されている。特許文献１に記載された表示装置は、指針式計器と液晶表示パネルとが並設されており、液晶表示パネルの画像表示部には、残燃料量，累積走行距離等の車両情報が表示される。
【先行技術文献】
【特許文献】
【０００３】
【特許文献１】特開２０１２−２２４１１８号公報
【特許文献２】特開２００２−１３２１８７号公報
【発明の概要】
【発明が解決しようとする課題】
【０００４】
しかしながら、特許文献１に記載された表示装置は、正面視で円形である指針式計器と、正面視で矩形である液晶表示パネルとが並んでいるため、左右非対称である印象が強くなり、必ずしもデザイン性に優れているとは言えない。これに対して、特許文献２に記載された表示装置は、複数の指針式計器を左右対称に配置しているため、デザイン性に優れているが、画像表示部が比較的小さいため、視認性が良好ではないという問題を有していた。
本発明は、この問題に鑑みなされたものであり、デザイン性に優れ、且つ、視認性が良好な表示装置を提供するものである。
【課題を解決するための手段】
【０００５】
本発明は、指針と、前記指針に指示される指標部を有する表示部材と、前記指標部を囲む第一の装飾部材と、前記第一の装飾部材と同一形状または相似形状で、且つ、表示装置の左右方向の中心位置を基準に対称位置にある第二の装飾部材と、前記第二の装飾部材の内側に配設された画像表示部と、前記第二の装飾部材の内側で、且つ、前記画像表示部の外側に、前記第二の装飾部材の上下方向の中心位置を基準に対称位置に配設された警告表示部と、を備え、前記画像表示部は、残燃料量計と冷却水温度計とを前記第二の装飾部材の左右方向の中心位置を基準に対称位置に表示することを特徴とするものである。
【０００６】
また、本発明は、前記第一の装飾部材は、円環状装飾部材であると共に、前記第二の装飾部材は、前記第一の装飾部材と同じ直径を有する円環状装飾部材である。
【発明の効果】
【０００７】
第一の装飾部材と第二の装飾部材とが同一形状または相似形状になっているためデザイン性に優れており、且つ、第二の装飾部材の内側には指針式計器がないため、第二の装飾部材の内側に配設する画像表示部を大きくすることが可能であり、視認性が良好になる。
【図面の簡単な説明】
【０００８】
【図１】本発明の第一実施形態を示す正面図。
【図２】同上実施形態を示すＡ−Ａ断面図。
【図３】同上実施形態を示すＢ−Ｂ断面図。
【図４】同上実施形態を示すＣ−Ｃ断面図。
【図５】同上実施形態を示すＤ−Ｄ断面図。
【図６】同上実施形態を示す要部拡大図（ａ）及び要部拡大断面図（ｂ）。
【図７】本発明の第二実施形態を示す正面図。
【発明を実施するための形態】
【０００９】
以下、添付図面に基づいて、本発明の一実施形態を説明する。図１乃至図６は、第一実施形態を示すものである。車両用表示装置は、指針１０と、回路基板２０と、ケース体３０と、表示部材４０と、見返し部材５０と、円環状装飾部材（第一の装飾部材）６０と、円環状装飾部材（第二の装飾部材）７０と、液晶表示パネル８０と、ハウジング９０と、を備えている。
【００１０】
指針１０は、透光性樹脂からなる指示部１１と、不透明な樹脂からなる指針キャップ１２と、回動軸２２ａが圧入されるボス部１３と、指示部１１を載置する指針座１４とを有しており、後述する指標部４２ａを指示部１１にて指示する。指針１０のボス部１３及び指針座１４は、黒色樹脂にて一体形成されている。
【００１１】
回路基板２０は、基板本体２１と、基板本体２１の後面側に実装された指針駆動部２２と、基板本体２１の表面側に実装された発光素子２４，２５，２６，２７と、を備えており、表示部材４０の後側に配置されている。
【００１２】
基板本体２１は、平板状のガラスエポキシ系基材に、指針駆動部２２を駆動させる駆動回路、発光素子２４，２５，２６，２７を発光させる発光回路等を形成した硬質プリント基板からなる。駆動回路及び発光回路は、夫々、配線パターン，抵抗，コンデンサ等によって構成される。駆動回路は、制御部から供給される制御信号に基づいて、指針駆動部２２を駆動する。発光回路は、制御部から供給される制御信号に基づいて、発光素子２４，２５，２６，２７を発光させる。
【００１３】
指針駆動部２２は、可動磁石式駆動装置，ステッピングモータ等からなるものである。指針駆動部２２の回動軸２２ａには、指針１０が取り付けられる。指針１０のボス部１３は、表示部材４０に形成された貫通孔４０ｃに挿入される。表示部材４０の貫通孔４０ｃは、指針駆動部２２の回動軸２２ａに対応する個所に形成されており、表示板４１及び文字盤４２を貫通している。
【００１４】
基板本体２１の駆動回路は、制御部から供給される制御信号に基づいて、指針駆動部２２を駆動して、指針１０は、制御信号に応じた回転角度で回動軸２２ａを回転させる。これによって、指針１０が車両速度に応じた所定の回転角度で回転し、指針１０の指示部１１が指標部４２ａを指示する。
【００１５】
発光素子２４，２５，２６，２７は、夫々、１個以上の発光ダイオード等によって構成される。発光素子２４は、文字盤４２を透過照明する。発光素子２５は、指針１０の指示部１１を光輝させる。発光素子２６は、液晶表示パネル８０を透過照明する。発光素子２７は、警告表示部４１ｃを透過照明する。発光素子２４，２５，２６は、制御部から供給される制御信号に基づいて駆動され、車両運転者によって操作されるイルミネーションスイッチ等に応じてオン／オフされる。発光素子２７は、制御部から供給される制御信号に基づいて駆動され、各種センサからの警告データに応じてオン／オフされる。
【００１６】
ケース体３０は白色の合成樹脂（例えば、ポリプロピレン）からなり、このケース体３０に回路基板２０が固定されている。ケース体３０は、垂直部３１，傾斜部３２，平行部３３，傾斜部３４，垂直部３５，照明室３６を有している。ケース体３０の垂直部３１は、円筒形状になっており、前端が表示部材４０の後面に当接し、後端が回路基板２０の前面に当接している。ケース体３０の垂直部３１は、発光素子２４が発する照明光と、発光素子２５が発する照明光とが混合されることを防ぐ遮光壁になっている。
【００１７】
ケース体３０の傾斜部３２は、垂直部３１の外周面から逆円錐状に広がる形状になっている。ケース体３０の傾斜部３２は、発光素子２４が発した照明光を平行部３３，傾斜部３４に向けて反射させる。ケース体３０の平行部３３は、表示部材４０と平行な平板形状になっている。ケース体３０の傾斜部３４は、逆円錐状になっており、平行部３３の外周端に連なっている。ケース体３０の傾斜部３４は、発光素子２４が発した照明光を表示部材４０に向けて反射させる。
【００１８】
ケース体３０の垂直部３５は、円筒形状になっており、後端が回路基板２０の前面に当接している。ケース体３０の垂直部３５は、傾斜部３４の外周端に連なっている。ケース体３０の垂直部３５は、前端が表示部材４０の後面に当接し、後端が回路基板２０の前面に当接している。ケース体３０の照明室３６は、筒状になっており、各警告表示部４１ｃの後面側を区画する。
【００１９】
表示部材４０は、表示板４１と文字盤４２とを備えたものである。表示板４１は、平板状の無機ガラスからなる基材４１ａの前面に印刷層４１ｂを形成したものであり、正面視で矩形になっている。表示板４１は、印刷層４１ｂにて形成された複数の警告表示部（発光表示部）４１ｃを有している。表示板４１の印刷層４１ｂは、文字盤４２に対応する領域、及び、画像表示部８０ａに対応する領域には形成されていない。第一実施形態では、６個の警告表示部４１ｃが、円環状装飾部材７０の内側で、且つ、画像表示部８０ａの外側に配設されている。警告表示部４１ｃは、画像表示部８０ａの上側に３個、画像表示部８０ａの下側に３個、配設されている。
【００２０】
文字盤４２は、透光性シートからなる基材の前面に印刷層を形成したものであり、指針１０に指示される指標部４２ａを有している。文字盤４２の指標部４２ａは、貫通孔４０ｃを中心とした円弧状に配置されており、円環状装飾部材６０に囲まれている。文字盤４２の指標部４２ａは、発光素子２４が発した照明光によって透過照明される。文字盤４２は、正面視で円形になっており、表示板４１の前面に配置される。見返し部材５０は、不透明な樹脂からなるものであり、表示板４１の不要箇所を隠蔽している。
【００２１】
円環状装飾部材６０及び円環状装飾部材７０は、不透明な樹脂からなるリング状の基材にメッキ処理を施したものである。円環状装飾部材６０及び円環状装飾部材７０は、表示板４１の前面に配置されている。円環状装飾部材６０の直径と、円環状装飾部材７０の直径とは同一になっている。且つ、円環状装飾部材６０の半径方向の幅Ｗと、円環状装飾部材７０の半径方向の幅Ｗとは同一になっている。円環状装飾部材６０は、文字盤４２を囲むように、表示板４１の前面に配置されている。円環状装飾部材７０は、円環状装飾部材６０から所定間隔を有して、円環状装飾部材６０の右側に配設されている。
【００２２】
液晶表示パネル８０は、例えばＴＦＴ型ＬＣＤパネルからなるものである。液晶表示パネル８０はマトリクス状に配置された多数の画素からなる画面の一部である画像表示部８０ａを有しており、この画像表示部８０ａには、バーグラフ式の残燃料量計，冷却水温度計や、ナビゲーション情報等の車両情報が表示される。液晶表示パネル８０は、透光性接着部材８５によって表示部材４０の後面に密着されている（図６参照）。
【００２３】
液晶表示パネル８０の横長に配置されており、液晶表示パネル８０の左右方向の幅は、円環状装飾部材７０の直径よりも大きく、液晶表示パネル８０の上下方向の幅は、円環状装飾部材７０の直径よりも小さくなっている。液晶表示パネル８０は、図示しない可撓性配線部材によって、回路基板２０と電気的に接続されている。液晶表示パネル８０は、回路基板２０の前面に搭載された発光素子２６によって透過照明される。
【００２４】
ハウジング９０は、前ケース９１，後ケース９２，透明カバー９３を有している。前ケース９１及び後ケース９２は、不透明な樹脂からなるものであり、図示しない弾性係止部によって、前ケース９１の後側に後ケース９２が係止されている。透明カバー９３は、アクリル等の透明樹脂からなるものであり、平板形状になっている。ハウジング９０には、指針１０，回路基板２０，ケース体３０，表示部材４０，見返し部材５０，円環状装飾部材６０，７０，液晶表示パネル８０が収納される。なお、指針式計器は、指針１０と、指針駆動部２２と、文字盤４２とで構成されている。
【００２５】
図７は、第二実施形態を示すものである。第二実施形態では、液晶表示パネル８０の縦長に配置されており、液晶表示パネル８０の左右方向の幅は、円環状装飾部材７０の直径よりも小さく、且つ、液晶表示パネル８０の上下方向の幅は、円環状装飾部材７０の直径よりも小さくなっている。第二実施形態では、４個の警告表示部４１ｃが、円環状装飾部材７０の内側で、且つ、画像表示部８０ａの外側に配設されている。警告表示部４１ｃは、画像表示部８０ａの左側に２個、画像表示部８０ａの右側に２個、配設されている。
【００２６】
第一，第二実施形態は、指針１０と、指針１０に指示される指標部４２ａを有する表示部材４０と、指標部４２ａを囲む円環状装飾部材６０と、円環状装飾部材６０と同じ直径を有し、且つ、左右対称位置にある円環状装飾部材７０と、円環状装飾部材７０の内側に配設された画像表示部８０ａと、円環状装飾部材７０の内側で、且つ、画像表示部８０ａの外側に画像表示部８０ａを挟んだ対称位置に配設された警告表示部４１ｃと、を備えたものであり、円環状装飾部材６０と円環状装飾部材７０とが同じ直径を有する円環状になっているためデザイン性に優れており、且つ、円環状装飾部材７０の内側には指針式計器がないため、円環状装飾部材７０の内側に配設する画像表示部８０ａを大きくすることが可能であり、視認性が良好になる。
【００２７】
なお、本発明は、第一，第二実施形態に限定されるものではなく、種々の変形が可能である。例えば、２個の装飾部材は同一形状でなくても良く、相似形状であっても良い。また、第一，第二実施形態は、液晶表示パネル８０を備えたものであったが、例えば有機ＥＬパネルを用いても良い。
【符号の説明】
【００２８】
１０    指針
２０    回路基板
２２    指針駆動部
２２ａ  回動軸
２４    発光素子
２５    発光素子
２６    発光素子
２７    発光素子
４０    表示部材
４０ｃ  貫通孔
４１ｃ  警告表示部（発光表示部）
４２ａ  指標部
６０    円環状装飾部材（第一の装飾部材）
７０    円環状装飾部材（第二の装飾部材）
８０    液晶表示パネル
８０ａ  画像表示部
【図１】
0006344343.tif 000002
【図２】
0006344343.tif 000003
【図３】
0006344343.tif 000004
【図４】
0006344343.tif 000005
【図５】
0006344343.tif 000006
【図６】
0006344343.tif 000007
【図７】
0006344343.tif 000008